(57)【要約】この発明に係る機械室レスエレベータは、昇降路内の頂部にある巻上機等の保守、点検の作業性が向上したエレベータ装置を得る。この発明に係る機械室レスエレベータは、昇降路と、この昇降路内に設置されたかご用レール及び釣合重り用レールと、前記かご用レールに案内されて前記昇降路内を昇降するかごと、前記釣合重り用レールに案内されて上記昇降路内を昇降する釣合重りと、前記昇降路の頂部に設置され前記かごを駆動させる機器と、前記頂部に設けられ作業者による前記機器の保守、点検時の足場となる作業台を有する作業台装置とを備えている。この作業台装置は、作業台変位手段により、保守、点検のときには、作業者が作業台上で保守、点検を可能にする空間を有しており、また保守、点検が行われないときには、作業台が天面側に変位している。
2004108577.tif 000002
【特許請求の範囲】
【請求項１】
昇降路と、
この昇降路内に設置されたかご用レール及び釣合重り用レールと、
前記かご用レールに案内されて前記昇降路内を昇降するかごと、
前記釣合重り用レールに案内されて上記昇降路内を昇降する釣合重りと、
前記昇降路の頂部に設置され前記かごを駆動させる機器と、
前記頂部に設けられ作業者による前記機器の保守、点検時の足場となる作業台を有する作業台装置とを備え、
前記作業台装置は、前記保守、点検のときには、作業者が前記作業台上で保守、点検を可能にする空間を有するように前記昇降路の天面側から離間させ、前記保守、点検が行われないときには、前記作業台を前記天面側に変位させる作業台変位手段を含む機械室レスエレベータ。
【請求項２】
前記作業台変位手段は、一端部が前記天面に固定された保持具に回動自在に設けられ他端部が前記作業台に回動自在に設けられたパンタグラフ機構と、前記保持具と前記作業台との間に張設され作業台を前記保持具側に付勢したスプリングとを備えている請求項１に記載の機械室レスエレベータ。
【請求項３】
前記作業台変位手段は、一端部が前記作業台に接続され他端部が巻き取りドラムに接続され作業台を吊り下げた吊下げ用ロープと、前記巻き取りドラムを貫通した軸と、この軸が貫通した巻き取り具と、一端部がこの巻き取り具に接続され他端部が最上階乗場に導き出された巻き取り用ロープとを備え、前記巻き取り用ロープの牽引により前記作業台を前記天面側に変位させるようになっている請求項１に記載の機械室レスエレベータ。
【請求項４】
前記作業台には、前記かご用レールに沿って上下に摺動自在の案内子が設けられている請求項１ないし請求項３の何れかに記載の機械室レスエレベータ。
【請求項５】
前記作業台には前記昇降路の内壁に向かって突出した進退可能なストッパピンが設けられ、前記昇降路の内壁側にはストッパピンが挿入される係止穴を有するストッパが設けられ、前記作業台は、前記ストッパピンが前記係止穴に挿入されて最下位が確保されるようになっている請求項１ないし請求項４の何れかに記載の機械室レスエレベータ。
【請求項６】
前記ストッパには、前記係止穴を貫通した前記ストッパピンの先端面が当接し前記かごの昇降を制御するスイッチが設けられている請求項５に記載の機械室レスエレベータ。
【請求項７】
前記作業台の周縁部には、起伏可能な手摺が設けられている請求項１ないし請求項６の何れかに記載の機械室レスエレベータ。
【発明の詳細な説明】
【技術分野】  この発明は、巻上機、制御機器等が昇降路頂部に配置されている機械室レスエレベータに関するものである。
【背景技術】  従来の機械室レスエレベータとして、昇降路と、この昇降路内に設置されたかご用レール及び釣合重り用レールと、前記かご用レールに案内されて前記昇降路内を昇降するかごと、前記釣合重り用レールに案内されて上記昇降路内を昇降する釣合重りと、前記昇降路の頂部に設置され前記かごを駆動させる巻上機とを備えた機械室レスエレベータが知られている。
上記機械室レスエレベータでは、昇降路の頂部に設置された巻上機の保守、点検作業を行うときには、作業者は最上階乗場フロアからかごの天井に乗り移り、保守、点検作業を行う（例えば、特開２００２−１７３２７７号公報【０００５】、図１参照）。
しかしながら、機械室レスエレベータが故障してかごが停止し、その停止位置が、作業者がそのかごの天井に最上階乗場フロアから簡単に乗り移ることができない下方で停止した場合には、ブレーキ操作装置により巻上機のブレーキを開放して、釣合重りよりも軽いかごを、作業者が最上階乗場フロアから乗り移ることができる位置まで上昇させなければならないという面倒なかごの位置点検作業が伴うという問題点があった。
【発明の開示】
この発明は、上記のような問題点を解決することを課題とするものであって、昇降路内の頂部にある巻上機等の保守、点検の作業性が向上した機械室レスエレベータを得ることを目的とする。
この発明に係るエレベータ装置は、昇降路と、この昇降路内に設置されたかご用レール及び釣合重り用レールと、前記かご用レールに案内されて前記昇降路内を昇降するかごと、前記釣合重り用レールに案内されて上記昇降路内を昇降する釣合重りと、前記昇降路の頂部に設置され前記かごを駆動させる機器と、前記頂部に設けられ作業者による前記機器の保守、点検時の足場となる作業台を有する作業台装置とを備え、前記作業台装置は、前記保守、点検のときには、作業者が前記作業台上で保守、点検を可能にする空間を有するように前記昇降路の天面側から離間させ、前記保守、点検が行われないときには、前記作業台を前記天面側に変位させる作業台変位手段を含むものである。
【図面の簡単な説明】  図１はこの発明の実施の形態１の機械室レスエレベータの要部側断面図である。
図２は図１の作業台装置の全体斜視図である。
図３は図１の平断面図である。
図４はこの発明の実施の形態２の機械室レスエレベータの作業台装置の斜視図である。
【発明を実施するための最良の形態】  以下、この発明の好適な実施の形態について図面を参照して説明するが、各実施の形態において同一、同等部材、または部位については、同一符号を付して説明する。
実施の形態１．
図１はこの発明の実施の形態１による機械室レスエレベータの要部側断面図、図２は図１の作業台装置５０の全体斜視図、図３は図１の平断面図である。
この機械室レスエレベータは、昇降路１内の両側壁に上下方向に沿って間隔をおいて固定された複数個のブラケット１４と、このブラケット１４に固定され上下方向に延びた一対のかご用レール７と、このかご用レール７によって案内されて昇降するかご５と、昇降路１内を釣合重り用レール８によって案内されて昇降するとともにかご５の上下動に連動する釣合重り６と、昇降路１の頂部に配置され釣合重り用レール８に固定された支持台９と、この支持台９に設置されシーブ１１およびモータ１２から構成された機器である巻上機１０と、昇降路１の頂部の内壁面に固定され巻上機１０の駆動を制御する機器である制御機器１３と、シーブ１１を通じてかご５および釣合重りを接続した主索１６と、昇降路１の頂部に設置され伸縮可能な作業台装置５０を備えている。
作業台装置５０は、作業者が保守、点検作業を行う断面コ字形状の作業台３０と、昇降路１の頂部天面に固定された断面Ｌ字形状の一対の保持具３８と、一端部が保持具３８に回動自在に設けられ他端部が作業台３０の一対の立ち上がり片３０ａに回動自在に設けられたパンタグラフ機構である吊り具３１と、立ち上がり片３０ａの中間部に固定されかご用レール７に沿って摺動自在の案内子３３と、立ち上がり片３０ａの両端部に起伏可能に設けられたＵ字形状の一対の手摺３２とを備えている。
また、作業台装置５０は、ブラケット１４の上面に固定されているとともに上端面に作業台３０側に傾斜した傾斜面（図示せず）が形成されたストッパ３４と、一方の立ち上がり片３０ａにばね３５ａの弾性力によりストッパ３４側に付勢しストッパ３４の係止穴３４ａに挿入されるストッパピン３５と、ストッパ３４に固定され係止穴３４ａを貫通したストッパピン３５の先端面が当接し作動するスイッチ３６と、保持具３８と作業台３０の立ち上がり片３０ａとの間に張設され、作業台３０を保持具３８側に付勢した４本のスプリング５１と、一方の保持具３８の最上階乗場２側の端部に一端部が接続されて吊り下がった紐状の引き出し具３７とを備えている。
吊り具３１は、長辺部３１ａおよび短辺部３１ｂがピン３１ｃを介して回動可能に連結され、それぞれの長辺部３１ａ、短辺部３１ｂがピン３１ｃを中心に回動することで、作業台３０は保持具３８に対して平行に上下動するようになっている。
なお、パンタグラフ機構である吊り具３１と、保持具３８と作業台３０との間に張設され作業台３０を保持具３８側に付勢したスプリング５１により作業台変位手段を構成している。
次に、上記構成の機械室レスエレベータにおいて、昇降路１の頂部に設置された巻上機１０、制御機器１３等の保守、点検作業の手順について説明する。
保守、点検が行われない、通常のときには、作業台装置５０は、スプリング５１の弾性力により吊り具３１が折り畳まれた状態で昇降路１の天井側に片寄って配置されている。
保守、点検を行うときには、作業者は、スプリング５１の弾性力に逆らって最上階乗場フロア４から引出し具３７により作業台３０を引き降ろす。この引き降ろし時には、作業台３０は、案内子３３がかご用レール７に沿って摺動するので、保持具３８から平行状態が確保された状態で離間する。
作業者は、引き続き引出し具３７を引き降ろすことで、作業台３０は降下するが、それとともに立ち上がり片３０ａから突出しているとともにばね３５ａの弾性力によりストッパ３４側に付勢したストッパピン３５は、その先端面が傾斜面を押圧しながらストッパ３４の係止穴３４ａに挿入され、その結果作業台３０は停止する。
また、そのとき、ストッパピン３５は係止穴３４ａを貫通し、ストッパピン３５の先端部がスイッチ３６に当接する。その結果、スイッチ３６は作動し、かご５が作業台３０より以上に上昇することがない、つまり衝突することがない保守モードにエレベータは切りかわる。
その後、作業者は、最上階乗場フロア４から作業台３０に乗り移り、倒伏した状態の手摺３２を起こし、昇降路１の頂部に設置された巻上機１０、制御機器１３等の保守、点検作業を行う。
作業者は、保守、点検作業が終了した後は、作業台３０から最上階乗場フロア４に乗り移る。
次に、作業者は、ストッパピン３５の作業台３０側の端部に一端部が接続された戻し紐５２を手前に引き、ストッパピン３５を係止穴３４ａから抜くことで、ストッパピン３５の係止穴３４ａに対する係止が解除される。その結果、作業台３０は、スプリング５１の弾性力により吊り具３１が折り畳まれて昇降路１の天井側に偏倚し、保守、点検が行われない、通常のときに戻る。
この機械室レスエレベータによれば、例えば、故障により最上階乗場フロア４から簡単に乗り移ることができない下方でかご５が停止した場合、ブレーキ操作装置により巻上機１０のブレーキを開放して、最上階乗場フロア４から乗り込むことができる位置までかご５を上昇させなければならないという面倒なかご５の位置調整作業をすることなく、作業者は、最上階乗場フロア４から引出し具３７を用いて作業台３０を降下させるという簡単な作業で、作業用の足場を確保することができる。
また、保守、点検のときには、作業者が作業台３０上で保守、点検を可能にする空間を有するように昇降路１の天面側から離間させ、保守、点検が行われないときには、作業台３０を天面側に変位させる作業台変位手段は、簡単な構成である、吊り具３１およびスプリング５１で構成される。
また、作業台３０には、かご用レール７に沿って上下に摺動自在の案内子３３が設けられているので、作業台３０はかご用レール７に沿って円滑に昇降する。
また、作業台３０には昇降路１の内壁に向かって突出した進退可能なストッパピン３５が設けられ、昇降路１の内壁側にはストッパピン３５が挿入される係止穴３４ａを有するストッパ３４が設けられ、作業台３０は、ストッパピン３５が係止穴３４ａに挿入されて簡単に位置決めされる。
また、ストッパ３４には、係止穴３４ａを貫通したストッパピン３５の先端面が当接しかご５の昇降を制御するスイッチ３６が設けられているので、例えば作業者が作業台３０上で作業を行っているときに、かご５が作業台３０に衝突するようなことを防止することができる。
また、作業台３０の周縁部には、起伏可能な手摺３２が設けられているので、作業者の作業台３０上での作業性が向上するとともに、保守、点検が行われない通常のときには、昇降路１の天井面側に偏倚した作業台装置５０はコンパクトであり、昇降路１の頂部における作業台装置５０用の空間は小さくてよい。
なお、上記実施の形態では吊り具３１はパンタグラフ機構を有していたが、大径の筒の内壁面に沿って小径の筒が軸線方向に沿って摺動するテレスコピック機構を用いることで、作業台３０を上下動させるようにしてもよい。
実施の形態２．
図４はこの発明の実施の形態２による機械室レスエレベータの要部斜視図である。
この作業台装置６０は、作業者が保守、点検作業を行う作業台３０と、この作業台３０の両側に固定されかご用レール７に沿って摺動自在の案内子３３と、作業台３０の四方周囲に起伏可能に設けられたＵ字形状の手摺３２と、一端部が作業台３０に接続され作業台３０を吊り下げた一対のロープ３９と、各ロープ３９の他端部に接続されロープ３９を巻き取る一対の巻き取りドラム４１と、一対の巻き取りドラム４１を貫通しているとともに両端部が昇降路１の内壁面に固定された支持部材５３に回転自在に支持された軸４０と、一対の巻き取りドラム４１の間であって軸４０に固定された巻き取り具４２と、この巻き取り具４２に先端部が接続され、他端部が最上階乗場２まで導き出された巻き取りロープ４３とを備えている。
また、この機械室レスエレベータは、ブラケット１４に固定されているとともに上端面に作業台３０側に傾斜した傾斜面（図示せず）が形成されたストッパ３４と、作業台３０に進退可能に設けらればね３５ａの弾性力によりストッパ３４側に付勢しストッパ３４の係止穴３４ａに挿入されるストッパピン３５と、ストッパ３４に固定され係止穴３４ａを貫通したストッパピン３５の先端面が当接し作動するスイッチ３６とを備えている。なお、ストッパ３４、ばね３５ａ、スイッチ３６については、実施の形態１と同様の構成であり、図４においては図示していない。
次に、上記構成の機械室レスエレベータにおいて、昇降路１の頂部に設置された巻上機１０、制御機器１３等の保守、点検作業について説明する。
保守、点検が行われない、通常のときには、巻き取りロープ４３の他端部は最上階乗場２に係止されており、作業台３０は昇降路１の天井側に片寄った位置で支持されている。
保守、点検を行うときには、最上階乗場２の作業者は、巻き取りロープ４３の係止を解除し、その後巻き取りロープ４３に手を掛けながら、作業台３０の自重を利用し、巻き取り具４２、巻き取りドラム４１を回転させながら、降下させる。この引き降ろし時には、作業台３０は、案内子３３がかご用レール７に沿って摺動するので、昇降路の天井から平行状態が確保された状態で離間する。
作業台３０は降下するが、それとともに作業台３０から突出しているとともにばね３５ａの弾性力によりストッパ３４側に付勢したストッパピン３５は、その先端面が傾斜面を押圧しながらストッパ３４の係止穴３４ａに挿入され、その結果作業台３０は停止する。
また、そのとき、ストッパピン３５は係止穴３４ａを貫通し、ストッパピン３５の先端部がスイッチ３６に当接する。その結果、スイッチ３６は作動し、かご５が作業台３０より以上に上昇することがない、つまり衝突することがない保守モードにエレベータは切りかわる。
その後、作業者は、最上階乗場フロア４から作業台３０に乗り移り、倒伏した状態の四方の手摺３２を起こし、昇降路１の頂部に設置された巻上機１０、制御機器１３等の保守、点検作業を行う。
作業者は、保守、点検作業が終了した後、手摺３２を倒伏させ、作業台３０から最上階乗場フロア４に乗り移る。
次に、作業者は、ストッパピン３５の作業台３０側の端部に一端部が接続された戻し紐５２を手前に引き、ストッパピン３５を係止穴３４ａから抜くことで、ストッパピン３５の係止穴３４ａに対する係止を解除する。引き続き、作業者は、巻き取りロープ４３を手前に引き、巻き取り具４２、巻き取りドラム４１を回転させることで作業台３０を昇降路１の天井面側に偏倚させ、最後に巻き取りロープ４３の他端部を最上階乗場２の係止部（図示せず）に係止することで、保守、点検が行われない、通常のときに戻る。
この機械室レスエレベータによれば、作業台変位手段は、一端部が作業台３０に接続され他端部が巻き取りドラム４１に接続され作業台３０を吊り下げた吊下げ用ロープ３９と、巻き取りドラム４１を貫通した軸４０と、この軸４０が貫通した巻き取り具４２と、一端部がこの巻き取り具４２に接続され他端部が最上階乗場２に導き出された巻き取り用ロープ４３とを備え、簡単な構成で、作業台３０の昇降を行うことができる。
【産業上の利用の可能性】
以上のように、この発明は、昇降路頂部に設置された巻上機、制御機器等を保守、点検することが必要である機械室レスエレベータに有用である。
【図１】
2004108577.tif 000003
【図２】
2004108577.tif 000004
【図３】
2004108577.tif 000005
【図４】
2004108577.tif 000006
【国際調査報告】
2004108577.tif 000007
2004108577.tif 000008
2004108577.tif 000009
2004108577.tif 000010